(57)【要約】【課題】調整子基盤の無線ネットワーク装置及び方法を提供する。【解決手段】第１無線ネットワークに属する第１ネットワーク通信装置が、第２無線ネットワークに属する第２ネットワーク通信装置と通信を行うための本発明の実施による調整子基盤のネットワーク装置は、データフレーム領域と情報フレーム領域とを含む所定のプロトコルデータユニットを含む無線パケットを生成する制御部と、前記生成された無線パケットを送信する送信部とを含むが、前記プロトコルデータユニットは、前記第１ネットワーク通信装置を識別する第１機器識別情報と、前記第２ネットワーク通信装置を識別する第２機器識別情報と、前記第１無線ネットワークを識別する第１ネットワーク識別情報と、前記第２無線ネットワークを識別する第２ネットワーク識別情報と、を含むことを特徴とする。【選択図】図６
2005304042.tif 000002
【特許請求の範囲】
【請求項１】
第１無線ネットワークに属する第１ネットワーク通信装置が第２無線ネットワークに属する第２ネットワーク通信装置と通信を行うために、
データフレーム領域と情報フレーム領域とを含む所定のプロトコルデータユニットを含む無線パケットを生成する制御部と、
前記生成された無線パケットを送信する送信部と、を含むが、
前記プロトコルデータユニットは、前記第１ネットワーク通信装置を識別する第１機器識別情報と、前記第２ネットワーク通信装置を識別する第２機器識別情報と、前記第１無線ネットワークを識別する第１ネットワーク識別情報と、前記第２無線ネットワークを識別する第２ネットワーク識別情報と、を含むネットワーク装置。
【請求項２】
前記プロトコルデータユニットは、前記ネットワーク通信装置間の接近を制御するプロトコルデータユニットを含む請求項１に記載のネットワーク装置。
【請求項３】
前記プロトコルデータユニットは、前記情報フレーム領域が前記第１機器識別情報と、前記第２機器識別情報と、前記第１ネットワーク識別情報と、を含み、前記データフレーム領域が前記第２ネットワーク識別情報を含む請求項１に記載のネットワーク装置。
【請求項４】
前記無線パケットは、ＩＥＥＥ ８０２．１５．３規格による無線パケットを含む請求項１に記載のネットワーク装置。
【請求項５】
前記プロトコルデータユニットは、前記第１ネットワーク通信装置と前記第２ネットワーク通信装置とが同じネットワークに属しているか否かを示す伝送モード情報をさらに含む請求項１に記載のネットワーク装置。
【請求項６】
前記伝送モード情報は、前記情報フレーム領域に含まれる請求項５に記載のネットワーク装置。
【請求項７】
前記伝送モード情報は、前記第１ネットワーク通信装置と前記第２ネットワーク通信装置とが同じネットワーク識別情報を有する第１伝送モードと、前記第１ネットワーク通信装置と前記第２ネットワーク通信装置とが相異なるネットワーク識別情報を有する第２伝送モードと、を含む請求項５に記載のネットワーク装置。
【請求項８】
第１無線ネットワークに属する第１ネットワーク通信装置が前記第１無線ネットワークと有線ネットワークに連結された第２無線ネットワークに属する第２ネットワーク通信装置と通信を行うために、
前記第１ネットワーク通信装置からデータフレーム領域と情報フレーム領域とを含む所定のプロトコルデータユニットを含む無線パケットを受信する無線ネットワークインターフェース部と、
前記無線パケットを前記有線ネットワークのプロトコルによる有線パケットに変換する制御部と、
前記有線パケットを前記有線ネットワークに伝送する有線ネットワークインターフェース部と、を含むが、
前記プロトコルデータユニットは、前記第１ネットワーク通信装置を識別する第１機器識別情報と、前記第２ネットワーク通信装置を識別する第２機器識別情報と、前記第１無線ネットワークを識別する第１ネットワーク識別情報と、前記第２無線ネットワークを識別する第２ネットワーク識別情報と、を含むネットワーク中継装置。
【請求項９】
前記プロトコルデータユニットは、前記ネットワーク通信装置間の接近を制御するプロトコルデータユニットを含む請求項８に記載のネットワーク中継装置。
【請求項１０】
前記プロトコルデータユニットは、前記情報フレーム領域が前記第１機器識別情報と、前記第２機器識別情報と、前記第１ネットワーク識別情報と、を含み、前記データフレーム領域が前記第２ネットワーク識別情報を含む請求項８に記載のネットワーク中継装置。
【請求項１１】
前記無線パケットは、ＩＥＥＥ ８０２．１５．３規格による無線パケットを含む請求項８に記載のネットワーク中継装置。
【請求項１２】
前記プロトコルデータユニットは、前記第１ネットワーク通信装置と前記第２ネットワーク通信装置とが同じネットワークに属しているか否かを示す伝送モード情報をさらに含む請求項８に記載のネットワーク中継装置。
【請求項１３】
前記伝送モード情報は、前記情報フレーム領域に含まれる請求項１２に記載のネットワーク中継装置。
【請求項１４】
前記伝送モード情報は、前記第１ネットワーク通信装置と前記第２ネットワーク通信装置とが同じネットワーク識別情報を有する第１伝送モードと、前記第１ネットワーク通信装置と前記第２ネットワーク通信装置とが相異なるネットワーク識別情報を有する第２伝送モードと、を含む請求項１２に記載のネットワーク中継装置。
【請求項１５】
前記制御部は、前記伝送モード情報が前記第１伝送モードである場合、前記無線ネットワークインターフェース部から受信した無線パケットを廃棄する請求項１４に記載のネットワーク中継装置。
【請求項１６】
前記制御部は、前記伝送モード情報が前記第２伝送モードである場合、前記無線ネットワークインターフェース部から受信した無線パケットを前記有線ネットワークのプロトコルによる有線パケットに変換する請求項１４に記載のネットワーク中継装置。
【請求項１７】
前記有線ネットワークインターフェースが前記有線ネットワークから有線パケットを受信し、前記制御部が前記受信された有線パケットを前記第１無線ネットワークのプロトコルによる無線パケットに変換し、前記無線ネットワークインターフェースが前記無線パケットを前記第１ネットワーク通信装置に伝送する請求項８に記載のネットワーク中継装置。
【請求項１８】
無線装置が、データフレーム領域と情報フレーム領域とを含む所定のプロトコルデータユニットを含む無線パケットを送信するが、前記プロトコルデータユニットが前記無線パケットを送信する無線装置を識別する第１機器識別情報と、前記無線パケットを受信する無線装置を識別する第２機器識別情報と、前記第１機器識別情報により識別される第１ネットワーク通信装置が属する無線ネットワークを識別する第１ネットワーク識別情報と、前記第２機器識別情報により識別される第２ネットワーク通信装置が属する無線ネットワークを識別する第２ネットワーク識別情報を含む無線パケットを送信する（ａ）段階と、
有線ネットワークと連結された中継装置が前記無線パケットを受信する（ｂ）段階と、
前記中継装置が前記無線パケットを前記有線ネットワークのプロトコルによる有線パケットに変換する（ｃ）段階と、
前記有線パケットを前記有線ネットワークに伝送する（ｄ）段階と、を含むネットワーク通信方法。
【請求項１９】
前記プロトコルデータユニットは、前記ネットワーク通信装置間の接近を制御するプロトコルデータユニットを含む請求項１８に記載のネットワーク通信方法。
【請求項２０】
前記プロトコルデータユニットは、前記情報フレーム領域が前記第１機器識別情報と、前記第２機器識別情報と、前記第１ネットワーク識別情報と、を含み、前記データフレーム領域が前記第２ネットワーク識別情報を含む請求項１８に記載のネットワーク通信方法。
【請求項２１】
前記無線パケットは、ＩＥＥＥ ８０２．１５．３規格による無線パケットを含む請求項１８に記載のネットワーク通信方法。
【請求項２２】
前記プロトコルデータユニットは、前記第１ネットワーク通信装置と前記第２ネットワーク通信装置とが同じネットワークに属しているか否かを示す伝送モード情報をさらに含む請求項１８に記載のネットワーク通信方法。
【請求項２３】
前記伝送モード情報は、前記情報フレーム領域に含まれる請求項２２に記載のネットワーク通信方法。
【請求項２４】
前記伝送モード情報は、前記第１ネットワーク通信装置と前記第２ネットワーク通信装置とが同じネットワーク識別情報を有する第１伝送モードと、前記第１ネットワーク通信装置と前記第２ネットワーク通信装置とが相異なるネットワーク識別情報を有する第２伝送モードと、を含む請求項２２に記載のネットワーク通信方法。
【請求項２５】
前記（ｃ）段階は、前記伝送モード情報が前記第２伝送モードである場合、前記中継装置が前記無線パケットを前記有線ネットワークのプロトコルによる有線パケットに変換する段階を含む請求項２４に記載のネットワーク通信方法。
【発明の詳細な説明】
【技術分野】
【０００１】
本発明は無線ネットワーク装置及び方法に係り、より詳細には、調整子基盤の無線ネットワーク環境において、有線ネットワークとの連動を通じた調整子基盤の無線ネットワーク間の通信に関する。
【背景技術】
【０００２】
通信及びネットワーク技術の発達につれて最近のネットワーク環境は、同軸ケーブルまたは光ケーブルのような有線媒体を利用する有線ネットワーク環境から、多様な周波数帯域の無線信号を利用する無線ネットワーク環境に変わりつつある。これにより、無線ネットワークインターフェースモジュールを含んで移動が可能であり、かつ多様な情報を処理して特定の機能を行うコンピューティング装置（以下、‘無線ネットワーク装置’という）が開発されており、また、このような無線ネットワーク装置により効率的に通信を行える無線ネットワーク技術が登場している。
【０００３】
無線ネットワークは２つの形態に大別できる。
【０００４】
まず、図１に図示されたように、アクセスポイントを含む無線ネットワーク形態であって、‘インフラストラクチャーモードの無線ネットワーク’ともいう。
【０００５】
他の一つは、図２に図示されたように、アクセスポイントを含まない無線ネットワーク形態であって、‘アドホックモードの無線ネットワーク’ともいう。
【０００６】
インフラストラクチャーモードの無線ネットワークは、無線ネットワークの有線ネットワークへの連結、または、無線ネットワークに属する無線ネットワーク装置間の通信のために、データ伝達の中継役割を行うアクセスポイントを使用する。したがって、あらゆるデータはアクセスポイントを経なければならない。
【０００７】
アドホックモードの無線ネットワークは、アクセスポイントのような中継装置を経ずに、単一の無線ネットワークに属する無線ネットワーク装置が直接互いにデータを送受信する形態である。
【０００８】
このようなネットワーク形態は、また２つに大別できるが、単一の無線ネットワークに属する無線ネットワーク装置のうち任意に選定された無線ネットワーク装置が他の無線ネットワーク装置にデータを伝送できる時間（以下、‘チャンネル時間’という）を割り当てる調整子の役割を行い、他の無線ネットワーク装置は所定チャンネル時間にのみデータを伝送できるようにするネットワーク形態と、前記のように調整子の役割を行う無線ネットワーク装置が存在せず、あらゆるネットワーク装置が必要時にいつでもデータを伝送できるネットワーク形態とがある。
【０００９】
この時、前者の場合、すなわち、調整子の役割を行う無線ネットワーク装置が存在するネットワーク形態（以下、‘調整子基盤無線ネットワーク’という）は、調整子を中心に独立された単一の無線ネットワークを形成し、一定の空間内に複数の調整子基盤無線ネットワークが存在する場合に、それぞれの調整子基盤無線ネットワークは、他の調整子基盤無線ネットワークと区別されるために固有な識別情報を持つ。
【００１０】
したがって、特定の調整子基盤無線ネットワークに属する無線ネットワーク装置は、自身の属する調整子基盤無線ネットワークでは調整子により定められたチャンネル時間の間に他のネットワーク装置とデータを送受信できるが、他の調整子基盤無線ネットワークに属する無線ネットワーク装置とは通信できない問題点がある。
【００１１】
例えば、図３に図示されたように、３個の調整子基盤無線ネットワーク３１０、３２０、３３０を含むホームネットワークシステムにおいて、無線ネットワーク１ ３１０が１階の居間に構築されており、無線ネットワーク２ ３２０が２階の書斎に構築されており、無線ネットワーク３ ３３０が１階の寝室に構築されていると仮定する。
【００１２】
もし、ユーザーが２階の書斎で、携帯用動画像プレーヤー３２５を利用して１階の居間にあるメディアサーバー３１５に保存された映画を見ようとする場合には、無線ネットワーク１ ３１０と無線ネットワーク２ ３２０との間に通信できる方法がないために、ユーザーは映画を鑑賞できない。したがって、ユーザーが映画を見るためには１階の居間に降りていかなければならない不便さがある。
【００１３】
このような問題点が発生する理由は、無線電波の到達距離の制限、他の調整子基盤無線ネットワークに関する情報の不在、チャンネル時間の割当て問題などが発生するためである。
【００１４】
したがって、相異なる調整子基盤無線ネットワークに属する無線ネットワーク装置間にデータを送受信するために、新たなネットワークトポロジーを構成する必要がある。
【特許文献１】韓国特許公開第２００３−００８８２０３号
【発明の開示】
【発明が解決しようとする課題】
【００１５】
本発明は、前記問題点を改善するために案出されたものであって、本発明は相異なる複数の調整子基盤無線網を有線バックボーンを通じて連結することによって、相異なる調整子基盤無線網に属する無線ネットワーク装置間にもデータを送受信できる装置及び方法を提供するところにその目的がある。
【００１６】
本発明の目的は、前記で言及した目的に限定されず、言及しなかったさらに他の目的は下の記載から当業者ならば明確に理解できる。
【課題を解決するための手段】
【００１７】
前記目的を達成するために、本発明の実施によって、第１無線ネットワークに属する第１ネットワーク通信装置が第２無線ネットワークに属する第２ネットワーク通信装置と通信を行うためのネットワーク通信装置は、データフレーム領域と情報フレーム領域とを含む所定のプロトコルデータユニットを含む無線パケットを生成する制御部と、前記生成された無線パケットを送信する送信部と、を含むが、前記プロトコルデータユニットは、前記第１ネットワーク通信装置を識別する第１機器識別情報と、前記第２ネットワーク通信装置を識別する第２機器識別情報と、前記第１無線ネットワークを識別する第１ネットワーク識別情報と、前記第２無線ネットワークを識別する第２ネットワーク識別情報と、を含む。
【００１８】
望ましくは、前記プロトコルデータユニットは、前記ネットワーク通信装置間の接近を制御するプロトコルデータユニットを含む。
【００１９】
望ましくは、前記プロトコルデータユニットは、前記情報フレーム領域が前記第１機器識別情報と、前記第２機器識別情報と、前記第１ネットワーク識別情報と、を含み、前記データフレーム領域が前記第２ネットワーク識別情報を含む。
【００２０】
望ましくは、前記無線パケットは、ＩＥＥＥ ８０２．１５．３規格による無線パケットを含む。
【００２１】
望ましくは、前記プロトコルデータユニットは、前記第１ネットワーク通信装置と前記第２ネットワーク通信装置とが同じネットワークに属しているか否かを示す伝送モード情報をさらに含む。この時、前記伝送モード情報は、前記情報フレーム領域に含まれる。
【００２２】
望ましくは、前記伝送モード情報は、前記第１ネットワーク通信装置と前記第２ネットワーク通信装置とが同じネットワーク識別情報を有する第１伝送モードと、前記第１ネットワーク通信装置と前記第２ネットワーク通信装置とが相異なるネットワーク識別情報を有する第２伝送モードと、を含む。
【００２３】
前記目的を達成するために、本発明の実施によって、第１無線ネットワークに属する第１ネットワーク通信装置が前記第１無線ネットワークと有線ネットワークに連結された第２無線ネットワークに属する第２ネットワーク通信装置と通信を行うために、
前記第１ネットワーク通信装置からデータフレーム領域と情報フレーム領域とを含む所定のプロトコルデータユニットを含む無線パケットを受信する無線ネットワークインターフェース部と、
前記無線パケットを前記有線ネットワークのプロトコルによる有線パケットに変換する制御部と、
前記有線パケットを前記有線ネットワークに伝送する有線ネットワークインターフェース部と、を含むが、
前記プロトコルデータユニットは、前記第１ネットワーク通信装置を識別する第１機器識別情報と、前記第２ネットワーク通信装置を識別する第２機器識別情報と、前記第１無線ネットワークを識別する第１ネットワーク識別情報と、前記第２無線ネットワークを識別する第２ネットワーク識別情報と、を含む。
【００２４】
望ましくは、前記プロトコルデータユニットは、前記ネットワーク通信装置間の接近を制御するプロトコルデータユニットを含む。
【００２５】
望ましくは、前記プロトコルデータユニットは、前記情報フレーム領域が前記第１機器識別情報と、前記第２機器識別情報と、前記第１ネットワーク識別情報と、を含み、前記データフレーム領域が前記第２ネットワーク識別情報を含む。
【００２６】
望ましくは、前記無線パケットは、ＩＥＥＥ ８０２．１５．３規格による無線パケットを含む。
【００２７】
望ましくは、前記プロトコルデータユニットは、前記第１ネットワーク通信装置と前記第２ネットワーク通信装置とが同じネットワークに属しているか否かを示す伝送モード情報をさらに含む。この時、前記伝送モード情報は、前記情報フレーム領域に含まれる。
【００２８】
望ましくは、前記伝送モード情報は、前記第１ネットワーク通信装置と前記第２ネットワーク通信装置とが同じネットワーク識別情報を有する第１伝送モードと、前記第１ネットワーク通信装置と前記第２ネットワーク通信装置とが相異なるネットワーク識別情報を有する第２伝送モードと、を含む。
【００２９】
望ましくは、前記制御部は、前記伝送モード情報が前記第１伝送モードである場合、前記無線ネットワークインターフェース部から受信した無線パケットを廃棄する。
【００３０】
望ましくは、前記制御部は、前記伝送モード情報が前記第２伝送モードである場合、前記無線ネットワークインターフェース部から受信した無線パケットを前記有線ネットワークのプロトコルによる有線パケットに変換する。
【００３１】
望ましくは、前記有線ネットワークインターフェースが前記有線ネットワークから有線パケットを受信し、前記制御部が前記受信された有線パケットを前記第１無線ネットワークのプロトコルによる無線パケットに変換し、前記無線ネットワークインターフェースが前記無線パケットを前記第１ネットワーク通信装置に伝送する。
【００３２】
前記目的を達成するために、本発明の実施によるネットワーク通信方法は、無線装置が、データフレーム領域と情報フレーム領域とを含む所定のプロトコルデータユニットを含む無線パケットを送信するが、前記プロトコルデータユニットが前記無線パケットを送信する無線装置を識別する第１機器識別情報と、前記無線パケットを受信する無線装置を識別する第２機器識別情報と、前記第１機器識別情報により識別される第１ネットワーク通信装置が属する無線ネットワークを識別する第１ネットワーク識別情報と、前記第２機器識別情報により識別される第２ネットワーク通信装置が属する無線ネットワークを識別する第２ネットワーク識別情報を含む無線パケットを送信する（ａ）段階と、有線ネットワークと連結された中継装置が前記無線パケットを受信する（ｂ）段階と、前記中継装置が前記無線パケットを前記有線ネットワークのプロトコルによる有線パケットに変換する（ｃ）段階と、前記有線パケットを前記有線ネットワークに伝送する（ｄ）段階と、を含む。
【００３３】
望ましくは、前記プロトコルデータユニットは、前記ネットワーク通信装置間の接近を制御するプロトコルデータユニットを含む。
【００３４】
望ましくは、前記プロトコルデータユニットは、前記情報フレーム領域が前記第１機器識別情報と、前記第２機器識別情報と、前記第１ネットワーク識別情報と、を含み、前記データフレーム領域が前記第２ネットワーク識別情報を含む。
【００３５】
望ましくは、前記無線パケットは、ＩＥＥＥ ８０２．１５．３規格による無線パケットを含む。
【００３６】
望ましくは、前記プロトコルデータユニットは、前記第１ネットワーク通信装置と前記第２ネットワーク通信装置とが同じネットワークに属しているか否かを示す伝送モード情報をさらに含む。この時、前記伝送モード情報は、前記情報フレーム領域に含まれる。
【００３７】
望ましくは、前記伝送モード情報は、前記第１ネットワーク通信装置と前記第２ネットワーク通信装置とが同じネットワーク識別情報を有する第１伝送モードと、前記第１ネットワーク通信装置と前記第２ネットワーク通信装置とが相異なるネットワーク識別情報を有する第２伝送モードと、を含む。
【００３８】
望ましくは、前記（ｃ）段階は、前記伝送モード情報が前記第２伝送モードである場合、前記中継装置が前記無線パケットを前記有線ネットワークのプロトコルによる有線パケットに変換する段階を含む。
【００３９】
その他の実施例の具体的な事項は詳細な説明及び図面に含まれている。
【発明の効果】
【００４０】
本発明の実施によって、相異なる無線ネットワークに属する無線装置間にも、有線ネットワークをバックボーンとして相互通信を可能にする効果がある。
【発明を実施するための最良の形態】
【００４１】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００４２】
以下、本発明の実施例によって調整子基盤の無線ネットワーク装置及び方法を説明するためのブロック図またはフローチャートについての図面に基づいて本発明を説明する。この時、フローチャートの各ブロックとフロ−チャートの組合わせはコンピュータプログラムインストラクションにより実行可能なのが理解できるであろう。これらコンピュータプログラムインストラクションは、汎用コンピュータ、特殊用コンピュータまたはその他のプログラマブルデータプロセッシング装備のプロセッサーに搭載されうるので、コンピュータまたはその他のプログラマブルデータプロセッシング装備のプロセッサーを通じて実行されるそのインストラクションがフローチャートのブロックで説明された機能を行う手段を生成するように機構を作れる。これらコンピュータプログラムインストラクションは特定方式で機能を具現するためにコンピュータまたはその他のプログラマブルデータプロセッシング装備を指向できるコンピュータ利用可能またはコンピュータ判読可能メモリに保存されることも可能なので、そのコンピュータ利用可能またはコンピュータ判読可能メモリに保存されたインストラクションはフローチャートのブロックで説明された機能を行うインストラクション手段を内包する製造品目を生産することも可能である。コンピュータプログラムインストラクションはコンピュータまたはその他のプログラム可能なデータプロセッシング装備上に搭載することも可能なので、コンピュータまたはその他のプログラマブルデータプロセッシング装備上で一連の動作段階が実行されてコンピュータで実行されるプロセスを生成し、コンピュータまたはその他のプログラマブルデータプロセッシング装備を行うインストラクションはフローチャートのブロックで説明された機能を実行するための段階を提供することも可能である。
【００４３】
一方、ＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ；米国電気電子学会）８０２．１５．３規格は、無線ネットワークにおいて、国際標準協会（ＩＳＯ）が発表したネットワークモデルに関するＯＳＩ（Ｏｐｅｎ Ｓｙｓｔｅｍ Ｉｎｔｅｒｃｏｎｎｅｃｔｉｏｎ、開放システム相互連結）７階層のうち物理階層に該当するＰＨＹ階層と、データリンク階層に該当する媒体接近制御（Ｍｅｄｉｍｕｍ Ａｃｃｅｓｓ Ｃｏｎｔｒｏｌ：以下、ＭＡＣ）階層とに関する標準を提案している規格をいう。
【００４４】
したがって、本発明をより容易に理解するために、以下では、調整子基盤無線ネットワークについての実施例として、ＩＥＥＥ ８０２．１５．３規格をＷＰＡＮを例として説明するが、具体的には、ＭＡＣ階層を中心に複数のＷＰＡＮを有線バックボーンを利用して連結することによって、相異なるＷＰＡＮに属する無線ネットワーク装置間にデータを送受信できるネットワークシステムを説明する。
【００４５】
また、ＷＰＡＮでは無線ネットワーク装置を‘デバイス’と称し、少なくとも１つ以上のデバイスにより形成される単一のネットワークを‘ピコネット（ｐｉｃｏｎｅｔ）’と称するので、用語の統一のために以下ではＷＰＡＮで定義している用語を使用する。
【００４６】
図４は、本発明の実施例に係るネットワークシステムを示す例示図である。
【００４７】
前記ネットワークシステム４００は、多数のピコネット４２０、４６０、４８０と、前記ピコネットと連結された有線ネットワーク４４０と、前記有線ネットワークと連結されたゲートウェイ４１０と、前記それぞれのピコネット４２０、４６０、４８０を前記有線ネットワーク４４０と連結する中継装置４２２、４６２、４８２とより構成されうる。この際、前記ピコネット４２０、４６０、４８０の明確な区別のために各々‘第１ピコネット４２０’、‘第２ピコネット４６０’、‘第３ピコネット４８０’と称する。
【００４８】
また、それぞれのピコネットに属するデバイスのうち調整子役割を行うデバイスが選択されうるが、ＷＰＡＮでは調整子役割を行うデバイスを‘ピコネットコーディネーター’と称し、以下では‘ＰＮＣ’と称する。
【００４９】
また、前記中継装置をさらに明確に区別するために前記第１ピコネット４２０に属した中継装置４２２を‘第１中継装置’、前記第２ピコネット４６０に属した中継装置４６２を‘第２中継装置’、前記第３ピコネット４８０に属した中継装置４８２を‘第３中継装置’と称するが、前記中継装置は、ネットワークトポロジによってルーター、有無線ブリッジ、デバイスまたはＰＮＣを含みうる。例えば、前記中継装置が有無線ブリッジである場合には、前記ネットワークシステム４００は、‘１９２．１６８．９．ｘ’のようなＩＰサブネットを形成しており、それぞれのピコネット４２０、４６０、４８０は自身を区別できるピコネット識別情報により識別可能である。
【００５０】
一方、前記有線ネットワーク４４０は同軸ケーブル、光ケーブル、電力線、電話線など通信可能な媒体に基づくいかなる方式の有線ネットワークプロトコルも適用できる。いかなる有線ネットワークプロトコルを適用するかは、本発明が適用される物理的環境によって変わる。
【００５１】
本発明の実施によれば、例えば、デバイス−１＿１ ４３０がデバイス−１＿２ ４３５と通信しようとする場合、すなわち、同じピコネット内で通信が行われる場合には、従来のＩＥＥＥ ８０２．１５．３規格によればよい。しかし、前記デバイス−１＿１ ４３０が第２ピコネット４６０に属するデバイス−２＿１ ４６５と通信しようとすれば、まず、第１中継装置４２２が前記デバイス−１＿１ ４３０から送信した無線パケットを受信する。次いで、前記第１中継装置４２２は、前記無線パケットに含まれた情報を伝達できる構造を有する有線パケットを生成する。これは伝送媒体特性によって通信プロトコルの構造が変わり、これにより、パケット構造も変わりうるからである。前記第１中継装置４２２により生成された有線パケットは有線ネットワーク４４０を通じて第２中継装置４６２に伝送される。この際、前記有線パケットが前記第１中継装置４２２から前記第２中継装置４６２に伝えられる方法としては、ブロードキャストまたはマルチキャストによる方法、前記第２中継装置４６２にのみ直接伝達する方法などがある。
【００５２】
前記第２中継装置４６２は、前記第１中継装置４２２から受信した有線パケットを再びＩＥＥＥ ８０２．１５．３規格による無線パケットの形で変換させた後、ＩＥＥＥ ８０２．１５．３規格にあるチャンネル時間割当て過程を経て前記デバイス−２＿１ ４６５に前記無線パケットを伝送する。
【００５３】
この際、前記デバイス−１＿１ ４３０が伝送したパケットに対する応答過程は、前記デバイス−１＿１ ４３０と前記第１中継装置４２２との間、前記第１中継装置４２２と前記第２中継装置４６２との間、前記第２中継装置４６２と前記デバイス−２＿１ ４６５との間で行われ、デバイス−１＿１ ４３０とデバイス−２＿１ ４６５との間で行われうる。
【００５４】
図５は、本発明の実施例に係るデータ構造を示す構造図である。
【００５５】
前述したような通信メカニズムを行うには、従来のＩＥＥＥ ８０２．１５．３規格によるフレーム構造だけでは難点が多い。したがって、本発明を実施するには、従来のＩＥＥＥ ８０２．１５．３規格によるフレーム構造を変形する必要がある。そして、フレーム構造の変更は中継装置４２２、４６２、４８２の種類によって異なるところ、本発明では中継装置４２２、４６２、４８２として有無線ブリッジを利用し、これによる新たなフレーム構造を提案する。したがって、本発明に係る実施例で説明されるあらゆるピコネットと有線バックボーンは、単一のＩＰサブネットを有するようになる。そして、前記有無線ブリッジは自身が属しているピコネットではデバイスまたはＰＮＣとしても機能しうる。
【００５６】
前記図５では、本発明の実施のためにＩＥＥＥ ８０２．１５．３規格で定義しているＭＡＣフレームを変形した構造を示しているが、特にフレームボディー５２０の‘ＰＮＩＤ＿ｂ’情報フィールド５２３とヘッダ５１０の‘Ｆｒａｍｅ ｃｏｎｔｒｏｌ’情報フィールド５１２のうち、‘Ｒｅｓｅｒｖｅｄ’領域５１３を新たに定義した。以下、それぞれの重要な情報フィールドについて簡単に説明する。
【００５７】
ＭＡＣフレーム５００は、大きくＭＡＣフレームの様々な情報を示すヘッダ５１０とフレームボディー５２０とを含む。この際、前記フレームボディー５２０は、前記ＩＥＥＥ ８０２．１５．３の規格によるプロトコルスィート（ｐｒｏｔｏｃｏｌ ｓｕｉｔｅ）のうち、ＭＡＣ階層の上位階層から伝達されたプロトコルデータユニット（Ｐｒｏｔｏｃｏｌ Ｄａｔａ Ｕｎｉｔ；ＰＤＵ）をペイロード５２２とし、フレーム伝送エラーを判別するＦＣＳ（Ｆｒａｍｅ Ｃｈｅｃｋ Ｓｕｍ）情報フィールド５２４を含む。例えば、応用階層がＭＡＣ階層の上位階層である場合には、前記ペイロード５２２にはアプリケーションデータが載せられるようになる。
【００５８】
また、前記ヘッダ５１０には、ピコネットを識別できる識別子を示す‘ＰＮＩＤ（Ｐｉｃｏｎｅｔ Ｉｄｅｎｔｉｆｉｅｒ）’情報フィールド５１４と、前記ＭＡＣフレームを伝送するデバイスを識別する‘ＳｒｃＩＤ’情報フィールド５１８と、前記ＭＡＣフレームを受信するターゲットとなるデバイスを識別する‘ＤｅｓｔＩＤ’情報フィールド５１６を含む。このように、前記ＩＥＥＥ ８０２．１５．３規格による無線通信方式においては、前記‘ＰＮＩＤ’情報フィールド５１４により識別される単一のピコネットに属するデバイスの間にのみ通信可能に設計されていた。
【００５９】
したがって、相異なるピコネットに属するデバイス間の通信を可能にするためには、ピコネット識別情報を示す‘ＰＮＩＤ’情報フィールドが２箇所必要である。
【００６０】
本発明の実施例として、フレームボディー５２０に別途の‘ＰＮＩＤ’情報フィールド５２３を設定し、ヘッダ５１０に属した‘ＰＮＩＤ’情報との区別のためにフレームボディー５２０に属した‘ＰＮＩＤ’情報を‘ＰＮＩＤ＿ｂ’と示す。
【００６１】
一方、それぞれの有無線ブリッジは、自身の属したピコネットで受信したパケットの最終目的地が自身の属したピコネットにあるデバイスであるか、あるいは他のピコネットにあるデバイスであるかを区別する必要がある。もちろん、前記‘ＰＮＩＤ’情報５１４をソースピコネット識別情報と、前記‘ＰＮＩＤ＿ｂ’情報５２３を目的ピコネット識別情報とあらかじめ定義するか、あるいはその逆に定義するが、ソースピコネット識別情報と目的ピコネット識別情報とを間接的に知らせる別途の情報を用いても良い。この際、本発明では前記のような別途の情報を‘伝送モード情報’と称する。
【００６２】
すなわち、前記伝送モード情報は、単一のピコネットに属するデバイス間に送受信されるパケットであるか、あるいは相異なるピコネットに属するデバイス間に送受信されるパケットであるかを示す情報であって、前記図５で示したヘッダ５１０の‘Ｆｒａｍｅ ｃｏｎｔｒｏｌ’情報フィールド５１２のうち、‘Ｒｅｓｅｒｖｅｄ’領域５１３を用いられる。ＩＥＥＥ ８０２．１５．３規格では、前記‘Ｆｒａｍｅ ｃｏｎｔｒｏｌ’フィールドを定義しており、前記‘Ｒｅｓｅｒｖｅｄ’領域を５ビットに割り当てている。
【００６３】
本発明に係る実施例として前記‘Ｒｅｓｅｒｖｅｄ’領域の２ビットを用いられうる。
【００６４】
例えば、前記２ビットが‘０１’を示す場合に、前記‘ＰＮＩＤ’情報５１４は目的ピコネット識別情報を示し、前記‘ＰＮＩＤ＿ｂ’情報５２３はソースピコネット識別情報を示すものとしうる。これにより、前記‘ＤｅｓｔＩＤ’情報は、前記‘ＰＮＩＤ’情報５１４により識別されるピコネットに属する目的デバイスの識別情報を示し、前記‘ＳｒｃＩＤ’情報は、前記‘ＰＮＩＤ＿ｂ’情報５２３により識別されるピコネットに属するソースデバイスの識別情報を示す。
【００６５】
また、前記２ビットが‘１０’を示す場合には、前記‘ＰＮＩＤ’情報５１４はソースピコネット識別情報を示し、前記‘ＰＮＩＤ＿ｂ’情報５２３は目的ピコネット識別情報を示すものとしうる。これにより、前記‘ＤｅｓｔＩＤ’情報は前記‘ＰＮＩＤ＿ｂ’情報５２３により識別されるピコネットに属する目的デバイスの識別情報を示し、前記‘ＳｒｃＩＤ’情報は前記‘ＰＮＩＤ’情報５１４により識別されるピコネットに属するソースデバイスの識別情報を示す。
【００６６】
また、前記２ビットが‘１１’を示す場合には、前記‘ＰＮＩＤ’情報５１４と前記‘ＰＮＩＤ＿ｂ’情報５２３とは同一であり、このような場合、同じピコネットに属するデバイス間にパケットの送受信が行われることを示すものとしうる。結局、前記有無線ブリッジは、前記伝送モード情報だけでも自身が受信した無線パケットを他のピコネットに伝送するか、そうでなければ、そのまま廃棄するかを決定しうる。
【００６７】
図６は、本発明の実施例に係るデバイス及び有無線ブリッジの構成を示す例示図である。
【００６８】
有無線ブリッジ６００は、ピコネットを通じて無線パケットを送受信する無線ネットワークインターフェース部６１０と、有線ネットワーク６５０と連結されて有線パケットを送受信する有線ネットワークインターフェース部６１０と、前記無線ネットワークインターフェース部６０５が受信した無線パケットを伝達され、前記無線パケットに含まれた伝送モード情報から伝送モードを判別する伝送モード判別部６２５と、前記無線パケットを前記有線ネットワーク６５０を通じて他のピコネットに伝送するために有線パケットに変換するパケット変換部６３０と、前記有線ネットワーク６５０に連結された他のピコネットの識別情報と他の有無線ブリッジに関する情報を含んでいる保存部６２０と、前記無線ネットワークインターフェース部６０５、前記有線ネットワークインターフェース部６１０、前記伝送モード判別部６２５、前記パケット変換部６３０、そして前記保存部６２０の間で発生するプロセスを管理する制御部６１５を含む。この際、前記伝送モード判別部６２５と、前記パケット変換部６３０と、前記制御部６１５は単一の集積回路チップで具現しうる。
【００６９】
前記デバイス６７０は、データフレーム領域と情報フレーム領域とを含む媒体接近制御（ＭＡＣ）プロトコルデータユニットを含む無線パケットを生成するデバイス制御部６７２と、前記生成された無線パケットを送信する送受信部６７４とを含む。
【００７０】
以下、前記有無線ブリッジ６００と前記デバイス６７０との動作を具体的に説明する。
【００７１】
一方、本発明についての説明の便宜上、以下では有無線ブリッジがピコネットから無線パケットを受信する場合と、有線ネットワークを通じて有線パケットを受信する場合とに分けて説明し、伝送モード情報は前記図５の説明での例にする。また、チャンネル時間割当て過程は、ＩＥＥＥ ８０２．１５．３規格によって、前記有無線ブリッジがピコネットから無線パケットを受信する場合に、既に割り当てられていると仮定する。そして、全体ネットワークシステムは前記図４を参照する。
【００７２】
１．無線パケットを受信する場合
（１） 同一ピコネットに属するデバイス間に通信を行う場合
例えば、前記デバイス−１＿１ ４３０がデバイス−１＿２ ４３５と通信をしようとする場合、前記デバイス−１＿１ ４３０を前記図６のデバイス６７０と、前記第１中継装置４２２を前記図６の有無線ブリッジ６００と仮定する。まず、前記デバイス６７０のデバイス制御部６７２は前記図５のＭＡＣフレーム５００にあるヘッダ５１０の‘Ｆｒａｍｅ ｃｏｎｔｒｏｌ’情報フィールド５１２のうち、‘Ｒｅｓｅｒｖｅｄ’領域５１３に‘１１’を設定し、‘ＰＮＩＤ＿ｂ’情報フィールド５２３と‘ＰＮＩＤ’情報フィールド５１４には前記デバイス６７０と前記デバイス−１＿２ ４３５が属するピコネット識別情報を設定する。そして、前記‘ＤｅｓｔＩＤ’情報フィールド５１６には前記デバイス−１＿２ ４３５を識別する識別情報を、前記‘ＳｒｃＩＤ’情報フィールド５１８には前記デバイス６７０を識別する識別情報を設定する。
【００７３】
次いで、前記デバイス６７０の送受信部６７４は、上記のように設定されたＭＡＣフレームを含む無線パケットをブロードキャストする。この際、有無線ブリッジ６００にある無線ネットワークインターフェース部６０５は、前記無線パケットを受信し、前記伝送モード判別部６２５が前記受信された無線パケットから前記伝送モード情報を抽出する。この際、前記伝送モード情報が‘１１’であるために、前記伝送モード判別部は前記受信された無線パケットを廃棄する。前記有無線ブリッジ６００は、他のピコネットとの通信を行うためのものであるために、同じピコネットで通信を行う方法は従来のＩＥＥＥ ８０２．１５．３規格によることが望ましい。
【００７４】
（２） 他のピコネットに属するデバイス間に通信を行う場合
例えば、前記デバイス−１＿１ ４３０が前記図４で示した第２ピコネット４６０に属したデバイス−２＿１ ４６５と通信を行おうとする場合、前記デバイス−１＿１ ４３０を前記図６で示したデバイス６７０と、前記第１中継装置４２２を前記図６で示した有無線ブリッジ６００と仮定する。
【００７５】
まず、前記デバイス６７０のデバイス制御部６７２は、前記図５で示したＭＡＣフレーム５００にあるヘッダ５１０の‘Ｆｒａｍｅ ｃｏｎｔｒｏｌ’情報フィールド５１２のうち、‘Ｒｅｓｅｒｖｅｄ’領域５１３に‘０１’を設定し、‘ＰＮＩＤ＿ｂ’情報フィールド５２３には前記デバイス６７０が属する第１ピコネット４２０の識別情報を、‘ＰＮＩＤ’情報フィールド５１４には前記デバイス−２＿１ ４６５が属する第２ピコネット４６０の識別情報を設定する。そして、前記‘ＤｅｓｔＩＤ’情報フィールド５１６には前記デバイス−２＿１ ４６５を識別する識別情報を、前記‘ＳｒｃＩＤ’情報フィールド５１８には前記デバイス６７０を識別する識別情報を設定する。
【００７６】
次いで、前記デバイス６７０の送受信部６７４は、前記のように設定されたＭＡＣフレームを含む無線パケットをブロードキャストする。この際、有無線ブリッジ６００にある無線ネットワークインターフェース部６０５は前記無線パケットを受信し、前記伝送モード判別部６２５が前記受信された無線パケットから前記伝送モード情報を抽出する。この際、前記伝送モード情報が‘０１’であるために、前記伝送モード判別部は前記受信された無線パケットをパケット変換部６３０に伝達する。前記パケット変換部６３０は、前記有線ネットワーク６５０が動作するプロトコルに合わせてパケットを変換するが、この際、変換された有線パケットは前記ＭＡＣフレームのヘッダ情報５１０とペイロード情報５２２を含む。前記パケット変換部６３０により生成された有線パケットは前記有線ネットワークインターフェース部６１０に伝達し、前記有線ネットワークインターフェース部６１０は前記伝えられた有線パケットを有線ネットワーク６５０に伝送する。この際、伝送方法としては、ブロードキャストまたはマルチキャストによる方法も可能であり、前記第２ピコネット４６０にある有無線ブリッジに直接伝達する方法も可能である。
【００７７】
２．有線パケットを受信する場合
例えば、前記デバイス−１＿１ ４３０を前記図６で示したデバイス６７０と、前記第１中継装置４２２を前記図６で示した有無線ブリッジ６００と仮定する。
【００７８】
有無線ブリッジ６００にある有線ネットワークインターフェース部６１０が前記有線ネットワーク６５０からパケットを受信し、前記パケット変換部６３０が前記受信された有線パケットを伝達される。この際、前記パケット変換部６３０は前記有線パケットから伝送モード情報を抽出し、抽出された伝送モード情報が‘０１’である場合には、前記有線パケットから‘ＰＮＩＤ’情報を抽出して前記有無線ブリッジ６００が属したピコネット識別情報と同一か否かを検査する。もし、同一でなければ、前記パケット変換部６３０は前記受信された有線パケットを廃棄する。しかし、もし同一であれば、前記有無線ブリッジ６００が属したピコネットに存在するデバイスに前記有線パケットに含まれたＭＡＣフレームについての情報を伝達せねばならない。したがって、前記パケット変換部６３０は前記受信された有線パケットを無線パケットに変換し、変換された無線パケットを前記無線ネットワークインターフェース部６０５に伝達する。次いで、前記無線ネットワークインターフェース部６０５は前記伝えられた無線パケットを目的となるデバイス６７０に伝送するようになるが、この時、データ伝送のためにチャンネル時間が割当てなければならない。
【００７９】
ＩＥＥＥ ８０２．１５．３規格によれば、チャンネル時間割当てを要請できるデバイスはデータを伝送しようとする送信デバイスでなければならないので、データを受信しようとする受信デバイスが、前記送信デバイスとは異なるピコネットに属する場合にはデータ受信のためのチャンネル時間割当てを行うメカニズムが必要となる。
【００８０】
このようなメカニズムを行うための一実施例として、ＩＥＥＥ ８０２．１５．３規格によってチャンネル時間割当てを要請する時、呼び出される‘ＭＬＭＥ−ＣＲＥＡＴＥ−ＳＴＲＥＡＭ．ｒｅｑｕｅｓｔ’メッセージの構造を変更しうる。
【００８１】
従来の‘ＭＬＭＥ−ＣＲＥＡＴＥ−ＳＴＲＥＡＭ．ｒｅｑｕｅｓｔ’には、チャンネル時間割当てのための情報以外に受信デバイスを示す‘ＴｒｇｔＩＤ’パラメータだけが存在するために、メッセージ構造上チャンネル時間割当ては送信デバイス側でのみ行えるようになっている。したがって、前記‘ＭＬＭＥ−ＣＲＥＡＴＥ−ＳＴＲＥＡＭ．ｒｅｑｕｅｓｔ’メッセージにチャンネル時間割当てを要請するデバイスが送信デバイスであるか、受信デバイスであるかを示すパラメータを追加することによって、受信デバイスもチャンネル時間割当てを要請可能にしうる。この際、チャンネル時間割当てを要請する受信デバイスはチャンネル時間割当てのための多様な情報をＭＡＣ階層の上位階層で動作するミドルウェアまたはアプリケーションからあらかじめ伝達されるようになる。
【００８２】
一方、前記‘ＭＬＭＥ−ＣＲＥＡＴＥ−ＳＴＲＥＡＭ．ｒｅｑｕｅｓｔ’メッセージの構造が変更されることによって、受信デバイスがＰＮＣにチャンネル時間割当てを要請する命令フレームも変更する必要がある。すなわち、ＩＥＥＥ ８０２．１５．３規格によるチャンネル時間要請命令には多数のチャンネル時間要請ブロックが存在し、前記チャンネル時間要請ブロックの‘ＣＴＲｑ ｃｏｎｔｒｏｌ’情報フィールドには１ビットの‘Ｒｅｒｖｅｒｅｄ’領域が存在する。この領域にチャンネル時間割当てを要請するデバイスが送信デバイスであるか、受信デバイスであるかを示すビット情報を設定できる。
【００８３】
前記のように変更されたメッセージ及び命令構造を用いることによって、受信デバイスもチャンネル時間割当てを要請可能となる。
【００８４】
一方、前記有線ネットワーク６５０と連結されたそれぞれのピコネットは独立して自身のＰＮＩＤ情報を生成できるので、重畳される可能性がある。したがって、これを防止するために、それぞれの有無線ブリッジ６００は自身が属したピコネットの識別情報とデバイス情報とを含むパケットを周期的にブロードキャストし、前記ブロードキャストされたパケットを受信して前記保存部６２０に前記ピコネットの識別情報とデバイス情報とをテーブルの形で保存または更新しうる。もし、重畳されたＰＮＩＤが発生する場合には、所定の方法によって前記重複されたＰＮＩＤの値を変更させうる。例えば、前記第１ピコネット４２０と前記第２ピコネット４６０とのＰＮＩＤ値が同じ場合に、前記第１中継装置４２２に該当する第１有無線ブリッジと前記第２中継装置４６２に該当する第２有無線ブリッジは、自身のピコネットに属するＰＮＣに知らせ、前記ＰＮＣをしてＰＮＩＤを変更せしめる。
【００８５】
そして、それぞれの有無線ブリッジ６００は、自身の保存部６２０にある情報を自身が属したピコネットに周期的に知らせることによって、デバイスが他のピコネットの識別情報またはデバイス情報が分かるようにしうる。また、それぞれの有無線ブリッジ６００は自身が属したピコネットから周期的に伝送されるパケットを受信することもできるが、ＰＮＩＤが変更された場合には、前記パケットに変更されたＰＮＩＤ情報が載せられる。したがって、それぞれの有無線ブリッジ６００は前記変更されたＰＮＩＤ情報を抽出して保存部６２０に保存するようになる。
【００８６】
図７は、本発明の実施例に係る中継装置の動作を概略的に示すフローチャートである。
【００８７】
まず、中継装置４２２、４６２、４８２は有線パケットまたは無線パケットを受信したか否かを一定の周期毎に探索し続ける（Ｓ７００）。このような作業は、前記中継装置４２２、４６２、４８２の起動時より動作するプロセッサーにより行われる。もし、有線または無線パケットを受信したというイベントまたはインタラプトが発生すれば、前記プロセッサーは前記受信したパケットを処理するための別途の子プロセッサーを生成し、前記子プロセッサーは前記受信したパケットに含まれた情報に対応して前記受信したパケットを処理する（Ｓ７５０）。次いで、前記子プロセッサーは自身を生成させた上位プロセッサーに受信したパケットの処理が完了したことを知らせてから自身は消滅する。すなわち、ソフトウェア的な側面で、パケットの受信如何を確認するモジュールと受信されたパケットを処理するモジュールを別途に動作させてそれぞれの機能を具現しうる。
【００８８】
図８は、本発明の実施例に係る中継装置の動作を具体的に示すフローチャートである。
【００８９】
前記図６に示された制御部６１５は、一定の周期毎に前記有線ネットワークインターフェース部６１０または前記無線ネットワークインターフェース部６０５にパケットが受信されたか否かを検査する（Ｓ８０５、Ｓ８３０）。前記図８では、有線パケットを受信したか否か検査した後、無線パケットを受信如何を検査するものと示されているが、これは説明の便宜のためのものなので、その順序が変わっても良い。
【００９０】
もし、有線パケットを受信したことが確認されれば、前記パケット変換部６３０または制御部６１５では、パケットの種類を検査する（Ｓ８１０）。この際、受信したパケットが周期的に受信されるパケット、すなわちそれぞれの中継装置が自身のＰＮＩＤ情報を含めてブロードキャストした周期的なパケットである場合には、前記制御部６１５は前記ＰＮＩＤ情報を用いて前記保存部６２０に保存されたそれぞれのピコネットについてのＰＮＩＤ情報テーブルを更新する（Ｓ８１５）。次いで、前記制御部６１５は無線パケットの受信如何を検査する（Ｓ８３０）。
【００９１】
もし、前記Ｓ８１０段階で受信したパケットが非周期的に受信されるパケット、すなわち他のピコネットに属するデバイスが伝送したパケットである場合には、前記パケット変換部６３０で無線パケットに変換し（Ｓ８２０）、前記無線ネットワークインターフェース部６０５は前記変換された無線パケットを既に割当てられたチャンネル時間に目的となるデバイスに伝送する（Ｓ８２５）。次いで、前記制御部６１５は無線パケットの受信如何を検査する（Ｓ８３０）。
【００９２】
一方、無線パケットを受信したことが確認されれば、前記伝送モード判別部６２５または制御部６１５ではパケットの種類を検査する（Ｓ８３５）。この際、受信したパケットが周期的に受信されるパケット、例えばＰＮＣがＰＮＩＤ情報を含めてブロードキャストした周期的なパケットである場合には、前記制御部６１５は前記ＰＮＩＤ情報を用いて前記保存部６２０にＰＮＩＤ情報テーブルを更新する（Ｓ８４０）。次いで、前記制御部６１５は有線パケットの受信如何を検査する（Ｓ８０５）。
【００９３】
もし、前記Ｓ８３５段階で受信したパケットが非周期的に受信されるパケットである場合には、前記パケットを送信したデバイスが自身のピコネットに属したデバイスに伝送するためのパケットであるか否かを検査する（Ｓ８４５）。これは前記伝送モード情報を用いて分かる。この際、同じピコネットに属したデバイスに伝送するためのパケットである場合には、前記受信したパケットを廃棄する（Ｓ８６０）。同じピコネットで通信を行う方法は従来のＩＥＥＥ ８０２．１５．３規格によることが望ましい。
【００９４】
そして、前記Ｓ８４５段階で他のピコネットに属したデバイスに伝送するためのパケットである場合には、前記パケット変換部６３０で有線パケットに変換し（Ｓ８５０）、前記有線ネットワークインターフェース部６１０で前記変換された有線パケットを目的となるピコネットの中継装置に伝送する（Ｓ８５５）。次いで、前記制御部６１５は有線パケットを受信したか否かを検査する（Ｓ８０５）。
【００９５】
以上説明した本発明は、本発明が属する技術分野で当業者ならば本発明の技術的思想を離脱しない範囲内でいろいろな置換、変形及び変更が可能なので前述した実施例及び添付された図面に限定されるものではない。
【産業上の利用可能性】
【００９６】
本発明は、調整子基盤の無線ネットワーク環境における有線ネットワークとの連動を通じた調整子基盤の無線ネットワーク間の通信に関する技術分野に好適に適用されうる。
【図面の簡単な説明】
【００９７】
【図１】インフラストラクチャーモードの無線ネットワークシステムを示す例示図である。
【図２】アドホックモードの無線ネットワークシステムを示す例示図である。
【図３】従来の調整子基盤無線ネットワーク間の通信状態を示す例示図である。
【図４】本発明の実施例によるネットワークシステムを示す例示図である。
【図５】本発明の実施例によるデータ構造を示す構造図である。
【図６】本発明の実施例によるデバイス及び有無線ブリッジの構成を示す例示図である。
【図７】本発明の実施例による中継装置の動作を概略的に示すフローチャートである。
【図８】本発明の実施例による中継装置の動作を具体的に示すフローチャートである。
【符号の説明】
【００９８】
６００    有無線ブリッジ
６０５    無線ネットワークインターフェース部
６１０    有線ネットワークインターフェース部
６１５    制御部
６２０    保存部
６２５    伝送モード判別部
６３０    パケット変換部
【図１】
2005304042.tif 000003
【図２】
2005304042.tif 000004
【図３】
2005304042.tif 000005
【図４】
2005304042.tif 000006
【図５】
2005304042.tif 000007
【図６】
2005304042.tif 000008
【図７】
2005304042.tif 000009
【図８】
2005304042.tif 000010